(57)【要約】      （修正有）【課題】建築現場で火災や盗難、破壊等の発生に備え建築現場のセキュリティを確実に行い、現場保全を高めるシステムを提供する。【解決手段】建築現場セキュリティシステム１は、現場に設置した携帯端末２０と、それと通信可能な監視側携帯端末とを備える。各携帯端末は、携帯電話機を使う。更に現場携帯端末２０には、外部入出力ボードを介して監視・制御ユニット２１を接続する。監視制御ユニット２１は、監視機器類２２、制御部２３を持つ。監視部２２は、現場設置の監視機器類２２、制御機器類２３につながり、監視機器類２２からの監視データの取り込み、制御指令に基づく制御機器類２３の制御を行う。制御指令は、監視データを現場端末２０を介して通信で監視端末におくり異常等の判断を行なうことを特徴とする。【選択図】図２
2006058940.tif 000002
【特許請求の範囲】
【請求項１】
建築現場に、監視・制御手段、及びこれとつながり、通信機能を持つ現場携帯端末を設置し、監視・制御手段から監視データを取り込んだ現場携帯端末がこれを通信路に送出し、監視携帯端末はこの監視データを通信路から受信し、制御指令を生成して通信路にて送出し、これを受信した現場携帯端末が監視・制御手段の制御を行うものとした建築現場セキュリティ監視制御方法。
【請求項２】
建築現場を監視制御する建築現場セキュリティシステムにおいて、
建築現場に設置した監視機器類と、建築現場に設置した制御機器類と、建築現場に設置して上記監視機器類の監視データの読み取りを行い、制御指令に基づく上記制御機器類の制御を行う監視・制御部と、建築現場に設置した通信機能を持つ現場携帯端末と、監視側が携帯し、通信機能を持つ監視携帯端末と、を備え、
現場携帯端末は、監視・制御部を介して監視機器類からの監視データを取り込みこれを監視携帯端末に通信にて送り、監視携帯端末はこの監視データを受信して監視判断を行い異常発生又はその恐れのあるとの判断結果であれば対応する制御指令を生成して現場携帯端末へ通信によって送り、現場携帯端末はこれを受信し監視・制御部を介して対応する制御機器類の制御を制御指令に従って行うものとした建築現場セキュリティシステム。
【請求項３】
上記監視機器類は、建築現場の建物を含む視野の撮影を行うカメラ及び又は人体センサを含むものとし、上記制御機器類は、ブザー又はスピーカ又は照明灯を含むものとした請求項２の建築現場セキュリティシステム。
【請求項４】
上記現場携帯端末及び監視携帯端末は、それぞれ携帯電話機とし、それぞれはＩＤを含むパスワードによって互いに特定化されたコードを具えて、互いに通信が可能である請求項２の建築現場セキュリティシステム。
【請求項５】
上記現場携帯端末としての携帯電話機は、その外部入出力端に挿入された外部入出力ボードと、この入出力ボードにつながる監視・制御部とを、外付けとし、監視携帯端末としての携帯電話機は、その外部入出力端に挿入された外部入出力ボードと、この入出力ボードにつながる監視・制御の処理部とを外付けとした請求項４の建築現場セキュリティシステム。
【請求項６】
上記現場携帯端末としての携帯電話機は、カメラを内装し、このカメラは監視機器類の一部としても使用するものとした請求項３の建築現場セキュリティシステム。
【請求項７】
上記監視携帯端末としての携帯電話機は、現場携帯電話機からの監視データの受信を受けて監視・制御部の機能を、内部の処理部で行うものとした請求項４の建築現場セキュリティシステム。
【請求項８】
上記監視・制御は、建物引き渡し後も継続して行うものとした請求項２の建築現場セキュリティシステム。
【請求項９】
上記監視機器類及び制御機器類は、建築現場用の機器に代わって建物引き渡し後の監視対象に応じて設置したものとする請求項８の建築現場セキュリティシステム。
【請求項１０】
建築現場を監視制御する建築現場セキュリティ装置において、
建築現場に設置した監視機器類と、建築現場に設置した制御機器類と、建築現場に設置して上記監視機器類の監視データの読み取りを行い、制御指令に基づく上記制御機器類の制御を行う監視・制御部と、建築現場に設置して上記監視・制御部につながり、外部との間での通信機能を持つ現場携帯端末と、を備え、この現場携帯端末が通信にて上記監視データを送出し、これを受信した、監視側の携帯する監視携帯端末からの制御指令を、この現場携帯端末が通信にて受信し、監視・制御部を介してこの制御指令に基づいて制御機器類の制御を行うものとした建築現場設置のセキュリティ装置。
【請求項１１】
上記監視機器類は、建築現場の建物を含む視野の撮影を行うカメラ及び又は人体センサを含むものとし、上記制御機器類は、ブザー又はスピーカ又は照明灯を含むものとした請求項１０の建築現場設置のセキュリティ装置。
【請求項１２】
上記現場携帯端末は、それぞれ携帯電話機とし、それぞれはＩＤを含むパスワードによって互いに特定化されたコードを具えて、互いに通信が可能である請求項１０の建築現場設置のセキュリティ装置。
【発明の詳細な説明】
【技術分野】
【０００１】
本発明は、建築現場に対する監視制御方法、そのセキュリティシステム及び現場設置のセキュリティ装置に関する。
【背景技術】
【０００２】
家屋内のセキュリティシステムの従来例には、特許文献１がある。特許文献１は、家屋内に設けた各種監視機器並びに各種制御機器と、その監視及び制御を行うセキュリティシステム制御器と、このセキュリティシステム制御部につながり通信機器として動作する、家屋内設置の携帯電話機と、この携帯電話機との間で情報交信を行うパソコンと、外部のセキュリティ会社側で使用する携帯端末とを備える。
【０００３】
各種監視機器は、ガス、水道などの元栓監視器、電気ブレーカ監視器、１つ以上のカメラ、ドアの開閉監視器等から成り、家屋内の各種の監視を行う。各種制御機器は、上記監視結果や指令に応じてガス、水道の元栓の閉制御、ブレーカの開閉制御、ドアの開閉制御等を行う。これらの監視機器からの監視情報を取り込むと共に各機器の制御を行うのがセキュリティシステム制御部である。このセキュリティシステム制御部は、受動動作を行うものであって、監視機器からの監視情報は、家屋内携帯電話機を通じて、又はパソコンを通じて家屋内携帯電話機から、外部の携帯電話機へ無線にて送られる。一方、外部の携帯電話機には、セキュリタリ会社の操作員が近くにいたり、サーバやパソコンが接続されており、上記監視情報を取り込み、家屋内に異常発生か否かを操作員及びパソコンの判断により必要な制御機器への制御指令や監視結果に対する判断結果をこの携帯電話機を通じて、家屋内の携帯電話機に送る。判断結果はそれにつながるパソコンに取り込まれると共に、制御指令はセキュリティシステム制御部を介して、対応する制御機器に送られて、その指令を実行させる。この指令とは、開とか閉とかを指す。
【特許文献１】特開２００２−１５７６６５号公報
【発明の開示】
【発明が解決しようとする課題】
【０００４】
上記特許文献は、人が実際に住んでいる家屋内のセキュリタリに関するものであり、建築現場における建築途中の家屋や建物のセキュリタリに関するものではない。建築現場は、土地の整地工事、土地の掘削工事、基礎工事、建物工事、外壁工事、内装工事、内装物取付工事、電気工事、水道工事、ガス工事等の種々の工事がある。そして様々な機材や据え付け製品などが搬入される。
かかる建築現場における盗品の防止や、破壊・火災の防止は、現場をあずかる管理者にとっても、施工者にとっても、極めて重要である。建築現場における夜間や休日でのセキュリティは、ガードマンによる見張りとか、現場を外部の人間が入りにくいようにシートで囲むとかの方法であった。しかし、現場の数が多くなればそれだけのガードマンを配置しなければならなかったり、シートによる囲いではシートを破って内部に入り込む部外者への対応が不可能であった。更に、作業中であっても、納入した家電品等の納入物を欠陥品回収とかの名目で堂々と持ち去る等の事例も発生し、作業現場への不審者侵入の監視が必要となる。
【０００５】
本発明の目的は、建築現場のセキュリティをハイテク技術で実現するセキュリティシステムを提供するものである。
更に本発明の目的は、携帯電話機を積極的に活用すると共に、建築後の建物引き渡し後にあっても、そのまま継続してセキュリティを可能にするセキュリティシステムを提供するものである。
【課題を解決するための手段】
【０００６】
本発明は、建築現場に、監視・制御手段、及びこれとつながり、通信機能を持つ現場携帯端末を設置し、監視・制御手段から監視データを取り込んだ現場携帯端末がこれを通信路に送出し、監視携帯端末はこの監視データを通信路から受信し、制御指令を生成して通信路にて送出し、これを受信した現場携帯端末が監視・制御手段の制御を行うものとした建築現場セキュリティ監視制御方法を開示する。
【０００７】
更に本発明は、建築現場を監視制御する建築現場セキュリティシステムにおいて、
建築現場に設置した監視機器類と、建築現場に設置した制御機器類と、建築現場に設置して上記監視機器類の監視データの読み取りを行い、制御指令に基づく上記制御機器類の制御を行う監視・制御部と、建築現場に設置した通信機能を持つ現場携帯端末と、監視側が携帯し、通信機能を持つ監視携帯端末と、を備え、
現場携帯端末は、監視・制御部を介して監視機器類からの監視データを取り込みこれを監視携帯端末に通信にて送り、監視携帯端末はこの監視データを受信して監視判断を行い異常発生又はその恐れのあるとの判断結果であれば対応する制御指令を生成して現場携帯端末へ通信によって送り、現場携帯端末はこれを受信し監視・制御部を介して対応する制御機器類の制御を制御指令に従って行うものとした建築現場セキュリティシステムを開示する。
【０００８】
更に本発明は、上記監視機器類は、建築現場の建物を含む視野の撮影を行うカメラ及び又は人体センサを含むものとし、上記制御機器類は、ブザー又はスピーカ又は照明灯を含むものとした建築現場セキュリティシステムを開示する。
【０００９】
更に本発明は、上記現場携帯端末及び監視携帯端末は、それぞれ携帯電話機とし、それぞれはＩＤを含むパスワードによって互いに特定化されたコードを具えて、互いに通信が可能である建築現場セキュリティシステムを開示する。
【００１０】
更に本発明は、上記現場携帯端末としての携帯電話機は、その外部入出力端に挿入された外部入出力ボードと、この入出力ボードにつながる監視・制御部とを、外付けとし、監視携帯端末としての携帯電話機は、その外部入出力端に挿入された外部入出力ボードと、この入出力ボードにつながる監視・制御の処理部とを外付けとした建築現場セキュリティシステムを開示する。
【００１１】
更に本発明は、上記現場携帯端末としての携帯電話機は、カメラを内装し、このカメラは監視機器類の一部としても使用するものとした建築現場セキュリティシステムを開示する。
【００１２】
更に本発明は、上記監視携帯端末としての携帯電話機は、現場携帯電話機からの監視データの受信を受けて監視・制御の機能を、内部の処理部で行うものとした建築現場セキュリティシステムを開示する。
【００１３】
更に本発明は、上記監視・制御は、建物引き渡し後も継続して行うものとしたの建築現場セキュリティシステムを開示する。
【００１４】
更に本発明は、上記監視機器類及び制御機器類は、建築現場用の機器に代わって建物引き渡し後の監視対象に応じて設置したものとする建築現場セキュリティシステムを開示する。
【００１５】
更に本発明は、建築現場を監視制御する建築現場セキュリティ装置において、
建築現場に設置した監視機器類と、建築現場に設置した制御機器類と、建築現場に設置して上記監視機器類の監視データの読み取りを行い、制御指令に基づく上記制御機器類の制御を行う監視・制御部と、建築現場に設置して上記監視・制御部につながり、外部との間での通信機能を持つ現場携帯端末と、を備え、この現場携帯端末が通信にて上記監視データを送出し、これを受信した、監視側の携帯する監視携帯端末からの制御指令を、この現場携帯端末が通信にて受信し、監視・制御部を介してこの制御指令に基づいて制御機器類の制御を行うものとした建築現場設置のセキュリティ装置を開示する。
【発明の効果】
【００１６】
本発明によれば、建築現場のセキュリティを確保できると共に、建物の所有者への引き渡し以後にあってもセキュリティを引き続き可能にする。
【発明を実施するための最良の形態】
【００１７】
図１は、本発明のシステムの概要を示す図である。現場には、セキュリティシステム１が設置され、外部の携帯端末１１、１２、１３や情報端末１０、１４とインターネット等による無線又は有線の交信を行う。どちらであり、通信路を形成しての交信である。これらの端末は、近くの基地局２、５、６、７と無線にてつながり、更に中継局３、４を介してセキュリティシステム１を管理する基地局２につながる。
セキュリティシステム１は自身に携帯電話機を持ち、これが基地局２に無線にてつながり、他の端末１０、１１、１２、１３、１４と交信を行う。セキュリティシステム１は、現場設置されて場所固定であり、その設置位置が定まることで、管轄局となる基地局２も固定となる。
【００１８】
携帯端末１１、１３は、現場責任者や、土地や建物所有者、更にはセキュリティセンタ員等が持つ携帯電話機であり、これらは契約によって定まった人達である。
従って、この契約で定まった人だけがセキュリティシステム１とデータ交信する。そのために、互いにＩＤ等のパスワードで特定化させて、監視制御時には相互に専用的な通信を可能にする。
情報端末１０、１４は、例えばパソコンであり、これも契約によってつながった機器である。これらの端末は、携帯電話機のデータ処理やデータ編集や監視情報の取り込み、その判断、そしてその判断結果に応じての制御指令の出力などを行う。情報端末１４が携帯電話機１１につながるもの、情報端末１０が携帯電話機に無関係で且つ通信可能な端末である。また、情報端末は、サーバ等につながる。これは無線にても、有線にても可能である。制御指令は、対応する携帯電話機を通じてセキュリティシステム１へ送られる。
【００１９】
図２は、セキュリティシステム１の構成例を示す。システム１は、携帯電話機である携帯端末２０と、監視・制御部１５と、を持つ。監視・制御部１５は、監視・制御ユニット２１と、監視機器類２２と、制御機器類２３と、を持つ。
このセキュリティシステム１の携帯端末２０と、監視・制御部１５の監視・制御ユニット２１とを内含するボックス１０１は、例えば、図１１に示したように、建築中の建物２００の近くの建築現場に立設した円柱（ポール）１００の頂部に防水加工した上で取り付ける。携帯端末２０は、本来、携帯者の持参物であるが、このシステムではシステム１内に固定配置した。
監視・制御部１５のユニット２１は、携帯端末２０と機器類２２、２３との間に設置され、機器類２２からの監視情報を吸い上げて携帯端末２０へ送る機能と、相手携帯端末１１（１２、１３）から送られてくる監視情報からの判断結果である制御指令を機器類２３に送り、その制御を行う機能と、を有する。
機器類２２は、現場そのものに設置された監視機器であって、カメラ２２ａ、人体センサ２２ｂ、煙センサ２２ｃ、ガスセンサ２２ｄ、電力メータ２２ｅ、水道メータ２２ｆ、ドアセンサ２２ｇ、窓センサ２２ｈ、…等より成る。
【００２０】
カメラ２２ａは、現場の状況に応じて建築現場や構造物全体を監視可能な１つ以上のＣＣＤカメラであり、比較的高い場所に設置してある。夜の撮影には照明が不可欠であり、これは機器類２３の１つである照明灯２３ｂをＯＮすることで実現する。カメラ２２ａによる撮影は、連続撮影が好ましいが、実際上は間欠的な撮影でよく、又は何か他の機器類で異常を感知したときにのみ撮影させるやり方でもよい。更に、カメラ２２ａは視野方向固定の他に、視野方向可変のものもある。
視野方向可変には、カメラ視野方向制御手段をカメラに取り付けておく。視野可変手段で次々に視野方向を変更させて撮影を行う。更に、視野の大きさを変更させるズーム機能を搭載させる例もある。
更に、これらの視野方向制御手段、ズーム機能は、監視の結果、現場異常の判断時の制御対象としても作動する。例えば、異常発生方向の追跡、その画像のズームアップ化がなされる。
人体センサ２２ｂは、例えば赤外線を放出させておき、これに何等かの移動体が交叉したときにそれを検知するセンサである。その他に、生体反応を感知するセンサの例もある。超音波を放出しておく例もある。
煙センサ２２ｃは火災検知用であり、例えば２ヶ所以上の個所に設置する。その他のガスセンサ２２ｄ、電力メータ２２ｅ、水道メータ２２ｆ、ドアセンサ２２ｇ、窓センサ２２ｈは、建築の進行具合に応じて設置する機器であり、建築の初期段階では不要である。
更に重要なことは、これらの機器類２２ｄ〜２２ｈは、建物引き渡し後も対応する所定の監視場所に移し変えて設置することで、ホームセキュリティを可能にする利点を持つ。カメラ２２ａ、人体センサ２２ｂ、煙センサ２２ｃは、建物引き渡し後にあっては、その監視場所が変わることが多く、再工事で補完が可能である。
【００２１】
制御機器類２３は、防犯ブザー２３ａ、照明灯２３ｂ、ドア開閉スイッチ２３ｃ、元栓開閉スイッチ２３ｄ、鍵開閉スイッチ２３ｅ、ブレーカ２３ｆ…等より成る。勿論、上述した視野方向制御手段、ズーム機能の制御手段等も含める。
照明灯２３ｂは、カメラ２２ａの撮影照明用の他に、現場そのものを全体に照らすパイロットランプ、照明を移動させるサーチライトランプを持つ。
防犯ブザー２３ａは、外部からの異常侵入者を発見したときなどに携帯電話機１１や１３等からの制御（鳴音）指令を発して鳴らすものである。又、警告や注意を呼びかけるスピーカを設ける例もある。更に異常との判断であれば、上記サーチライトで異常個所を照らしたりする制御もなされる。
その他の機器類２３ｃ〜２３ｆは、建築の進行具合に応じての設置する機器であり、建築の初期段階では不要である。更に、これらの機器類は、建物引き渡し後も、所定の監視場所に設置することでホームセキュリティを可能にする。照明灯２３ｂ、防犯ブザー２３ａカメラ２２ａは引き続きホームセキュリティ機器としても利用できる。
【００２２】
図３は、携帯端末１１（１２、１３）の内部構成例を示す。携帯端末１１は、送受信部（アンテナ含む）１１ａ、キー入力部１１ｂ、操作部１１ｃ、スピーカ１１ｄ、表示部１１ｅ、バイブレータ１１ｆ、カメラ１１ｇ、メモリ１１ｈ、処理部（ＣＰＵを含む）、ＲＯＭ１１ｈ、バッテリ（電池）１１ｍを持つ。これらは、共通バス１１Ａにつながる。
携帯端末１１は、携帯電話機であり、通常は通話用に使用するが、本願では、データ伝送用として使用したことが特徴である。もちろん、通話用としても使用できる。
送受信部１１ａ…相手からの音声及び相手やサーバ等からのデータの受信及びその復調、及びこちらからの音声信号の変調そして送信及びデータの送信を行う。
キー入力部１１ｂ…テンキー（アルファベットキー、仮名キー、その他の操作キーを含む）であり、数字やアルファベットや仮名等の入力用に使用する。
操作部１１ｃ…ｉモードやメニューやスクロール等の操作ボタンである。この操作部１１ｃは、建築現場監視・制御の操作部としての機能をも持たせる。
スピーカ１１ｄ…音声出力用である。
表示部１１ｅ…各種の表示を行うものであり、操作部１１ｃの操作画面やキー入力部１１ｂによるキー入力内容表示を行う。
バイブレータ１１ｆ…振動部であり、これの振動により着信等を携帯者に知らせる。
カメラ１１ｇ…いわゆる内蔵ｃｃカメラ等である。
メモリ１１ｈ…各種のプログラムやデータを格納するＲＡＭである。
処理部１１ｉ…通常ＣＰＵより成り、入力部１１ｂ、操作部１１ｃの指示を受けての各種の処理を行う。この処理には電話機としての本来の通話処理の他に、建築現場の監視・制御用の処理を含む。
ＲＯＭ１１ｈ…プログラムや固定データ等の記憶用である。
バッテリ１１ｍ…直流電源である。
【００２３】
以上の携帯端末１１（１２、１３）によれば、通常の音声通話ができるだけでなく、操作部１１ｃ、入力部１１ｂ、処理部１１ｉ、メモリ１１ｈを利用して、建築現場から送られてくる監視データを処理し、必要な判断のもとに、現場での異常発生があれば直ちに、そのための制御指令（コマンド）を発生し、現場の携帯端末２０に送り、所定の制御を実行する。ここで、判断とは、現場異常発生の判断、又はその恐れのあることの判断であって、例えばカメラ２２ａや人体センサ２２ｂの映像やセンサ結果から自動判別することもあれば、携帯者の判断もある。
【００２４】
図４は、現場設置の携帯端末２０の構成を示す。携帯端末２０は、図３の携帯端末１１（１２、１３）と同一構成要素１１ａ〜１１ｍより成る他に、監視機器類２２からの監視データ取り込み機能、これを携帯端末１１（１２、１３）へ送出する機能、その結果を受けての制御指令の携帯端末１１（１２、１３）からの受信機能、並びこの制御指令を受けての制御機器類２３への制御機能、と別に備える。端末２０内の構成の中でカメラ１１ｇに相当するカメラは、監視用として使用してもよい。ポール設置している例であれば更に望遠レンズを取り付ければ更によい。
更に、現場に設置して長期間にわたって使用することから、外部のＡＣ電源２６と、この電源２６からのＡＣをＤＣに変換するＡＣ／ＤＣ変換器を持ち、バッテリ１１ｍの充電を常時行える構成を新たに持つ。
【００２５】
図５は、現場設置の携帯端末２０の処理部１１ｉの機能を示す図である。通常の携帯端末機能２７の他に、データ処理機能２８を持つ。データ処理機能２８は、データ編集機能２９、画像処理機能３０、外部監視機能３１、外部制御機能３２を持つ。ここで、データ編集機能とは、メールやサーバなどからのデータの編集を指し、画像処理機能３０とは、監視データの中のカメラ２２ａの映像の間引きとかの簡単な処理を指す。外部監視機能３１、外部制御機能３２とは現場の機器類２２、２３に係わる前述した機能である。
【００２６】
図６は、現場の携帯端末２０の外観構成図を示す。この端末２０は、アンテナ２０ａ、表示器２０ｂ、操作部２０ｃ、キー入力部２０ｄ、スピーカ２０ｅ等より成ると共に、外付けでその入出力端に挿入される外部インターフェース（外部入出力ボード）３５、監視制御ユニット２１を有する。監視・制御ユニット２１は現場に設置の各種機器類２２、２３につながり、監視データの取り込み、制御指令の出力を行う。
図６と図５との関係は、図５が機能としての側面であり、それを具体的に実現したのが図６の構成という関係である。
図６の更なる具体例を図７に示す。監視制御ユニット２１は、共通バス１１Ａにつながった外部入出力ボード３５に、共通バス３５Ａを介してつながり、メモリ３６と監視制御ボード３７から成る。メモリ３６は、機器類２２から取り込んだ監視データの記憶、上位からの制御指令の一時記憶、監視・制御のシーケンスプログラムの格納などの機能を持つ。監視制御ボード３７は、そのシーケンスプログラムに従っての監視及び制御を行う。
【００２７】
図８は、現場監視・制御の処理フローを示す。このフローは現場端末２０と契約端末１１（１２、１３）とのそれぞれの処理分担（Ｆ１〜Ｆ４、Ｆ５〜Ｆ８、Ｆ９〜Ｆ１０）と全体フローを示す。現場端末２０がボード３７、ユニット２１を介してデータの取り込みをスキャンして行い（シーケンスプログラムの働き）、それらを携帯端末１１へ送り、そこで判断し、その結果、現場で異常発生（又はその恐れ）であればその制御指令（コマンド）を発生し、それを現場端末２０に送り、必要な制御を実施する。
【００２８】
次に制御に関連する他の処理について説明する。
異常との判断時は、対応する機器類の制御の他に、警察に通報するとか、近くの契約した工務店にその旨知らせるとかの処置をする場合もある。更に、火災の検知の際には、消防署に知らせるとかの処置も必要となる。
既に述べたが、機器類２２、２３は、建築工事の進み具合に応じて付加したり、不要として撤去したりすることもある。更に、建物引き渡し後にあっては、その建物の屋内外のセキュリティに従った機器類２２、２３の取り付けを行う。
契約携帯者とは、専門的に委託した業者であってもよい。そして、引き渡し後にあっては、引き続きセキュリティの管理を行う。また、建物所有者が引き渡し後にあってもその携帯を持つことで、自己管理も可能となる。
【００２９】
以上の実施例では、携帯端末１１（１２、１３）が、監視データの受信と判断とを行える仕組みとしたが、情報端末に判断機能を持たせるやり方もある。この場合、携帯端末１１（１２、１３）に情報端末をつなぎ、携帯端末１１（１２、１３）はデータの受信と送信だけのシンプルな機能で間に合う。
【００３０】
図９は、携帯端末１１（１２、１３）の別の構成例を示す。端末１１の中味そのものの要素は、図３と同一である。異なる点は、処理部１１ｉ、メモリ１１ｈ、ＲＯＭ１１ｈに関して、異常判断処理はさせずに、代わりに、その機能を、外部入出力ボード５０を介して接続した外付けの処理ボード５１によって実現した点である。
【００３１】
図１０には、図９の端末１１と外部入出力ボード５０と処理ボード５１との詳細構成を示す。端末１１は、共通バス４５に処理部４１、バッテリ４２、…等を接続してあり、数字のみが異なるだけで構成要素は図３と同一である。外部入出力ボード５０は、共通バス４５に接続（これは入出力端を介しての意味）し、このボード５０に処理ボード５１を接続した。処理ボード５１は、メモリ５１Ｂ、処理部５１Ｃを有し、この両者で判断処理を行う。この際、端末１１は、データ通信用のモバイルとして利用する。尚、判断処理にあっては、端末１１ａのキー入力部４０ｄ、操作部４０ｃ、表示部４０ｂ等を介してマンマシン操作を伴う。
【００３２】
図９、図１０は、携帯端末１１（１２、１３）の外付けの例であるが、パソコンなどのより処理能力のある情報端末（図１の１４）を設けて、これと無線又は有線にて携帯端末とつなぐことでも実現できる。特に、管理センタを設け集中的な且つ迅速、正確な管理を行う場合には、適したシステムとなる。このとき、サーバを設けて情報（データ）管理を行わせると更によい。
【００３３】
図３、図４の携帯電話機１１（１２、１３）、２０のＣＰＵを含む内部構成の変形例に関して更に詳述する。
図３、図４では１つのＣＰＵ１１ｉが通話処理（電話機能）及び監視・制御処理を行うとしたが、通話処理用のＣＰＵと監視制御要のＣＰＵとの２つを設けた機能分担形の例もある。その他に、ＣＰＵといった汎用デバイスを用いずに、専用デバイスを設ける例もある。更に、携帯電話機１１（１２、１３）、２０は、共通バス形成としたが、こうした共通バス形成を採用しない例もある。いずれにしろ、携帯電話機の本来の通話処理（電話機能）がどのようなシステム機能で実現したかは本願発明では、特に問題ではなく、監視・制御を携帯電話機で実現させた点が重要である点を強調したい。
【００３４】
尚、監視側端末１１、１２、１３がどれか１個のみの契約例では問題にならないが、２個以上の時に、各端末で判断が異なったり、対策が異なったりすることがある。このときには、端末の中に優先順位を設けておき、その優先度の高いものを、現場例で取り込むようにするとよい。
以上の各事例は、携帯端末として、携帯電話機の例としたが、通信機能を有する他の携帯端末や専用の端末の使用も可能である。
【図面の簡単な説明】
【００３５】
【図１】本発明の全体システム例を示す図である。
【図２】本発明の現場設置の監視・制御系統図である。
【図３】本発明の携帯端末１１（１２、１３）の構成例を示す図である。
【図４】本発明の現場設置の携帯端末２０の構成例図である。
【図５】本発明の携帯端末２０の処理部１１ｉの更なる詳細機能例図である。
【図６】本発明の携帯端末２０の外付けでの機能実現の構成例図である。
【図７】図６の更なる詳細例図である。
【図８】本発明の全体処理フロー図である。
【図９】本発明の携帯端末１１（１２、１３）の他の構成例図である。
【図１０】図９の更なる詳細例図である。
【図１１】本発明のボックス設置例を示す図である。
【符号の説明】
【００３６】
１    現場セキュリティシステム
２、３    基地局
３、４    中継局
１１、１２、１３、２０    携帯端末
２１    監視制御ユニット
２２    監視機器類
２３    制御機器類
【図１】
2006058940.tif 000003
【図２】
2006058940.tif 000004
【図３】
2006058940.tif 000005
【図４】
2006058940.tif 000006
【図５】
2006058940.tif 000007
【図６】
2006058940.tif 000008
【図７】
2006058940.tif 000009
【図８】
2006058940.tif 000010
【図９】
2006058940.tif 000011
【図１０】
2006058940.tif 000012
【図１１】
2006058940.tif 000013